(57)【要約】【課題】  強度が強化された内壁材を用い、下地板やパネルフレームを必須とせず、構成部品数が少ない内壁構造の提供。【解決手段】  化粧板が、柱材に固定されてなる内壁構造であって、前記化粧板が、化粧面と裏面とを備えてなる無機質板と、前記裏面に接着された、厚み方向に貫通している貫通孔が複数配設された金属板とを備え、前記化粧板が、前記陶板の裏面および／または前記金属板に接合された固定部を介して、前記柱材に固定されてなる内壁構造。【選択図】  図５
2019065507.tif 000002
【特許請求の範囲】
【請求項１】
化粧板が、柱材に固定されてなる内壁構造であって、
前記化粧板が、化粧面と裏面とを備えてなる無機質板と、前記裏面に接着された、厚み方向に貫通している貫通孔が複数配設された金属板とを備え、前記化粧板が、前記陶板の裏面および／または前記金属板に接合された固定部を介して、前記柱材に固定されてなる、内壁構造。
【請求項２】
前記金属板が、パンチングメタルである、請求項１に記載の内壁構造。
【請求項３】
前記固定部が、前記柱材に設けられた固定部材と連結されてなる、請求項１または２に記載の内壁構造。
【請求項４】
前記固定部が、前記化粧板に設けられた係止具であり、前記固定部材が、前記柱材の間に渡された横架材であり、前記横架材を前記係止具に係止してなる、請求項３に記載の内壁構造。
【発明の詳細な説明】
【技術分野】
【０００１】
本発明は、パンチングメタルにより裏打された無機質板を用いた内壁構造に関する。
【背景技術】
【０００２】
内装または外装材としてタイルなどの無機質板が広く用いられている。この無機質板の強度を向上させるため、あるいは反り等の変形を防止するため、裏打がされることがある。
【０００３】
例えば、特開２０１２−１８８８７６号公報（特許文献１）は、陶磁器質タイルの裏面に金属板を接着剤で接着してなる金属板裏打ちタイルを開示し、また特開昭６２−２１５７５９号公報（特許文献２）は、タイル裏面に金属板を裏打してなる金属板裏打タイルを開示し、ここで金属板は部分穴あきであってもよいとの記載がある。さらに、特開２００１−１１５６２７号公報（特許文献３）は、外壁面材と下地材とを接合金物で接合した複合材が開示されている。しかしながら、これら先行技術には、パンチングメタルにより裏打された内壁材を用いた内壁構造の開示はない。
【先行技術文献】
【特許文献】
【０００４】
【特許文献１】特開２０１２−１８８８７６号公報
【特許文献２】特開昭６２−２１５７５９号公報
【特許文献３】特開２００１−１１５６２７号公報
【発明の概要】
【発明が解決しようとする課題】
【０００５】
本発明は、強度が強化された内壁材を用い、下地板やパネルフレームを必須とせず、構成部品数が少ない内壁構造の提供をその目的としている。
【課題を解決するための手段】
【０００６】
そして、本発明による内壁構造は、
化粧板が、柱材に固定されてなる内壁構造であって、
前記化粧板が、化粧面と裏面とを備えてなる無機質板と、前記裏面に接着された、厚み方向に貫通している貫通孔が複数配設された金属板とを備え、前記化粧板が、前記陶板の裏面および／または前記金属板に接合された固定部を介して、前記柱材に固定されてなる、内壁構造である。
【図面の簡単な説明】
【０００７】
【図１】化粧板１を構成する無機質板１１と裏打材１２と接着させる前の状態を表す図である。
【図２】パンチングメタルの平面図である。
【図３】図１においてＡと示される部分の拡大図である。
【図４】無機質板１１と裏打材１２と接着させた後の化粧板１の模式図である。
【図５】本発明による化粧板１を、複数の柱構造体２に固定した状態の説明図である。
【図６】ブランインドリベットのための孔１４を無機質板１１に設けた状態を表す図である。
【図７】孔１４へブランインドリベットを適用する状態を示す図である。
【図８】化粧板１に設けられた固定部１３と、柱構造体２に設けられた固定部２１とを固定線材により連結して固定した構造の断面説明図である。
【図９】固定部として、柱構造体に渡した横架材と、化粧板に固定された係止具とから構成した態様の説明図である。
【図１０】柱構造体２に横架材２１１を渡した状態の説明図である。
【図１１】化粧板１に固定された係止具１３３の説明図である。
【図１２】係止具１３３を横架材２１１に係合した状態の横断面図である。
【発明を実施するための形態】
【０００８】
定義
無機質板
本発明において用いられる無機質板は、例えば陶磁器、石、またはガラスからなり、内壁材、すなわち壁、天井等の仕上材として用いられる。従って、無機質板は、好ましくは意匠が施された化粧面と、裏面とを備える。また、その大きさは限定されないが、比較的大型の無機質板を好ましく用いることが出来、本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上を有するものである。
【０００９】
さらに本発明は、比較的薄い無機質板に好ましく適用できる。大型の陶磁器板では軽量化のため、例えば厚さは３ｍｍ以上１５ｍｍ程度まで、好ましくは１０ｍｍ程度まで、より好ましくは８ｍｍ程度まで、さらに好ましくは６ｍｍ程度までとされる。
【００１０】
本発明において無機質板は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、施釉の前後に乾燥工程を設けてもよい。
【００１１】
裏打材
本発明において用いられる裏打材は、厚み方向に貫通している貫通孔が複数配設された金属板である。本発明において、このような金属板は、パンチングメタル、打ち抜き金網、パーフォレーテッドメタル等の名で呼ばれるものである。穴の開いた割合、すなわち開口率は、無機質板の強度を向上出来る限り、特に限定されない。また、穴の形状も特に限定されず、またその配置、配列も、無機質板の強度を向上出来る限り適宜決定されてよい。また、本発明の一つの態様によれば、金属板の厚みも適宜決定されてよいが、無機質板よりも薄く、例えば無機質板の１０％程度の厚さであることが好ましい。
【００１２】
化粧板
本発明において用いられる化粧板１は、上記無機質板に、上記裏打材を接着させたものである。その基本構造は図１〜４に示される通りである。図１は、化粧板１を構成する無機質板１１と裏打材１２と接着させる前の状態を表す図であり、裏打材１２は、好ましくは図２に示されるような丸い穴が複数あけられたパンチングメタルである。図３は、図１においてＡと示される部分の拡大図であり、無機質板１１とパンチングメタル１２とが対抗しておかれる。
【００１３】
本発明にあっては、無機質板１１と、裏打材であるパンチングメタル１２とは接着剤により接着され一体とされる。このように一体化することで、厚みをそれほど増加させずに、全体の強度を向上させることができる。図４は、無機質板１１と裏打材１２と接着させた後の化粧板１の模式図である。
【００１４】
内壁構造
本発明による内壁構造の好ましい一つの態様を、図面を用いて説明する。図５は、本発明による化粧板１を、複数の柱構造体２に固定した状態の説明図である。図５に示される内壁構造は、化粧板１に設けられた固定部１３と、柱構造体２に設けられた固定部材２１とを連結して固定した構造を有する。ここで固定部材２１は、ビス、釘等であってよい。本発明によれば、化粧板１自体が内壁を構成するものされてよく、そのため内壁構造は、本発明による化粧板１以外の下地板やパネルフレームを必須としない。その結果、少ない構成部品により軽量化された内壁構造を構成することができ、施工性が向上するとの利点が得られる。
【００１５】
本発明にあっては、化粧板１の裏打材であるパンチングメタルの貫通孔を利用することで、容易に固定部１３を設けることが出来る。パンチングメタルは多数の貫通孔が２次元的に規則的に配列されているため、施工現場の柱構造体の配置に応じて、固定部を設ける位置を作業者が簡便に定めることが可能となる。例えば、本発明の一つの態様によれば、特開２０１７−８２５６４号公報に開示のブラインドリベットを用いて固定部１３を設けることが出来る。図６は、このブランインドリベットのための孔１４を無機質板１１に設けた状態を表す図であり、この孔１４は、裏打材１２を接着する前に設けられても、接着した後に、パンチングメタルの貫通孔を介して設けられてもよい。図７は、孔１４へブランインドリベット１３１を適用する状態を示す図であり、その後、上記公報に記載の方法によってブラインドリベットは孔１４に固定される。こうして固定されたブラインドリベットには固定線材１３２を接続することにより、固定部１３として、柱構造体２に設けられた固定部材２１と連結され、内壁となる。図８は、化粧板１に設けられたブラインドリベット１３１と、柱構造体２に設けられた固定部材２１とを固定線材１３２により連結して固定した構造の断面説明図である。
【００１６】
本発明の別の態様によれば、上記固定線材１３２を板状の部材としてもよい。また、ブラインドリベット１３１に代えて、インサートナットとボルトとの組み合わせや、アンカー・プラグ類を用いてもよい。この場合、ボルト等の頭部に固定線材や固定板材を接続する。
【００１７】
また、本発明の一つの態様によれば、固定部として、化粧板に設けられた係止具と、固定部材として、柱構造体に渡した横架材とから構成して、化粧板が固定された内壁構造とすることもできる。図９はこの態様の説明図である。この図において、柱構造体２に横架材２１１を渡し、他方、化粧板１に係止具１３３を固定し、この係止具１３３を横架材２１１に係合して内壁構造が構成される。図１０は柱構造体２に横架材２１１を渡した状態の説明図であり、横架材２１１はくぎ、ねじ等の固定具２１２により柱構造体２に固定される。図１１は、化粧板１に固定された係止具１３３の説明図であり、係止具１３３は固定具１３４で化粧板１に固定される。本発明の好ましい態様によれば、図６および７にならい、金属板１２の貫通孔を介して孔１４を設け、これにブラインドリベットを挿入し固定する。本発明の別の態様によれば、固定具１３４はビス等であってもよく、さらに溶接等により金属板に固定されてもよい。図１２は、係止具１３３を横架材２１１に係合した状態の横断面図である。
【符号の説明】
【００１８】
１…化粧板、１１…無機質板、１２…裏打材、パンチングメタル、１３…固定部、１４…ブラインドリベット用孔、１３１…ブラインドリベット、１３２…固定線材、１３３…係止具、１３４…係止具固定具、２…柱構造体、２１…柱構造体固定部材、２１１…横架材、２１２…横架材固定具
【図１】
2019065507.tif 000003
【図２】
2019065507.tif 000004
【図３】
2019065507.tif 000005
【図４】
2019065507.tif 000006
【図５】
2019065507.tif 000007
【図６】
2019065507.tif 000008
【図７】
2019065507.tif 000009
【図８】
2019065507.tif 000010
【図９】
2019065507.tif 000011
【図１０】
2019065507.tif 000012
【図１１】
2019065507.tif 000013
【図１２】
2019065507.tif 000014
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
化粧板が、柱材に固定されてなる内壁構造であって、
前記化粧板が、化粧面と裏面とを備えてなる無機質板と、前記裏面に接着された、厚み方向に貫通している貫通孔が２次元的に規則的に複数配設された金属板からなる裏打材とを備え、前記化粧板が、前記貫通孔を介して前記無機質板の裏面に接合された固定部により、前記柱材に固定されてなる、内壁構造。
【請求項２】
前記裏打材が、パンチングメタルである、請求項１に記載の内壁構造。
【請求項３】
前記固定部が、前記柱材に設けられた固定部材と連結されてなる、請求項１または２に記載の内壁構造。
【請求項４】
前記固定部が、前記化粧板に設けられた係止具であり、前記固定部材が、前記柱材の間に渡された横架材であり、前記横架材を前記係止具に係止してなる、請求項３に記載の内壁構造。